(57)【要約】【課題】押さえ巻きを光ファイバテープ心線のすぐ近くで刃物を使うことなく容易に切断でき、一段と作業性をよくして作業時間を短縮することのできるようにする。【解決手段】押さえ巻きには、該押さえ巻きを横断する方向に線状にミシン目が所定の間隔で設けられ、該ミシン目のいずれかの先端線には該押さえ巻きの端面に達する切れ目が形成されて、前記端面から該ミシン目に向けてフリー形状の指摘み部が形成されて、押さえ巻き間に形成された隙間に対向するようにされた。【選択図】図１
2009271299.tif 000002
【特許請求の範囲】
【請求項１】
スペーサに光ファイバテープ心線が収容され、その上側に粗巻きと押さえ巻きが巻かれ、更にそれらの上側にシースが施された構造を有するテープスロット型光ファイバケーブルにおいて、
前記押さえ巻きには、該押さえ巻きを横断する方向に線状にミシン目が所定の間隔で設けられ、該ミシン目のいずれかの先端線には該押さえ巻きの端面に達する切れ目が形成されて、前記端面から該ミシン目に向けてフリー形状の指摘み部が形成されて、押さえ巻き間に形成された隙間に対向するようにされたこと
を特徴とするテープスロット型光ファイバケーブル。
【請求項２】
請求項１において、シースに熱可塑性樹脂が使用され、粗巻きに熱可塑性樹脂が使用され、該粗巻きは前記シースの前記光ファイバ心線集合体上への高温加熱成形被覆時に、前記開き巻構造の隙間を介して熱移動によって溶融して切断状態に置かれたことを特徴とするテープスロット型光ファイバケーブル。
【請求項３】
請求項１において、前記押さえ巻きは横巻きに巻かれ、前記ミシン目および前記指摘み部は横巻き方向と逆方向に、横巻き方向の直角横断方向に、もしくは横巻き方向と同一方向に設けられることを特徴とするテープスロット型光ファイバケーブル。
【請求項４】
請求項１において、前記押さえ巻きは縦方向に巻かれ、前記ミシン目および前記指摘み部は前記押さえ巻きに直角横断方向または斜め方向に設けられることを特徴とするテープスロット型光ファイバケーブル。
【請求項５】
スペーサに光ファイバテープ心線が収容され、その上側に粗巻きと押さえ巻きが巻かれ、更にそれらの上側にシースが施された構造を有するテープスロット型光ファイバケーブルの中間後分岐作業方法において、
前記押さえ巻きを横断する方向に線状にミシン目が所定の間隔で設けられ、該ミシン目のいずれかの先端線には該押さえ巻きの端面に達する切れ目が形成されて、前記端面から該ミシン目に向けてフリー形状の指摘み部が形成された該押さえ巻きについて、
前記シースを引き裂き、前記押さえ巻きを露出させた後に、前記フリー形状の指摘み部を指で摘まんで前記ミシン目方向に引っ張り、前記ミシン目に沿って切断し、テープスロット型光ファイバケーブルから除去するようにしたこと
を特徴とするテープスロット型光ファイバケーブルの中間後分岐作業方法。
【請求項６】
請求項５において、シースに熱可塑性樹脂を使用し、粗巻きに熱可塑性樹脂を使用し、該粗巻きを前記シースの前記光ファイバ心線集合体上への高温加熱成形被覆時に、前記開き巻構造の隙間を介して熱移動によって溶融して切断状態に置き、前記押さえ巻きを除去後または除去と同時に前記粗巻きを除去することを特徴とするテープスロット型光ファイバケーブルの中間後分岐作業方法。
【発明の詳細な説明】
【技術分野】
【０００１】
テープスロット型光ファイバケーブルおよびこのテープスロット型光ファイバケーブルの中間後分岐作業方法に関する。
【背景技術】
【０００２】
ＦＴＴＨ配線ケーブルとして多くの光ファイバケーブルが開発されて来ている。その内の１つとしてＳＺ撚りテープスロット型光ファイバケーブルがあり、このＳＺ撚りテープスロット型光ファイバケーブルは、ケーブルを切断せずに光ファイバテープ心線を取り出すいわゆる中間後分岐作業に適しているために広く採用されている。この中間後分岐作業は光ファイバ加入者へ光ファイバを引き込むために、光ファイバケーブルの長手方向に数１０ｃｍに亘りシースを除去して光ファイバケーブルから光ファイバ心線を取り出す作業が必要となる。テープスロット型光ファイバケーブルでは、光ファイバ心線を取り出すために、シースを除去した後に、刃物などを使って押さえ巻きと粗巻きとを切断することが行なわれてきた。
【０００３】
非特許文献１には、押さえ巻きと粗巻きを光ファイバ心線のすぐ近くで刃物を使うことなく容易に切断することのできる中間後分岐作業並びにこの作業を行うためのＳＺ撚りテープスロット型光ケーブルの構造が記載されている。
【０００４】
特許文献１には、下部のばし作業がやりやすいように考慮された中間後分岐工法が記載されている。
【０００５】
特許文献２には、外皮にミシン目状切欠きを設けることが記載されている。
【０００６】
【非特許文献１】２００８年１月ＳＥＩテクニカルレビュー第１７２号１４４〜１４７ページ
【特許文献１】特開２００３−２１７２８号公報
【特許文献２】実開平５−２９０１０号公報
【発明の開示】
【発明が解決しようとする課題】
【０００７】
非特許文献には、粗巻きには、材料に低融点材料を採用するとともに、押さえ巻きには押さえ巻き間に隙間を設けて巻き構造として、粗さを押さえ巻き間の隙間の部位でケーブル製造時のシースの熱で切断すること、および押さえ巻きについては、指で摘んで切断することが記載されている。
【０００８】
このような方法、構造を採用することによって刃物を使用することなく押さえ巻きあるいは粗巻きを切断することによって作業時間を短縮できるようになったが、ＦＴＴＨの普及のために更に一段と作業性をよくして作業時間を短縮することが求められている。
【０００９】
本発明は、かかる点に鑑みて押さえ巻きを光ファイバテープ心線のすぐ近くで刃物を使うことなく容易に切断でき、一段と作業性をよくして作業時間を短縮することのできるテープスロット型光ファイバケーブルおよび中間後分岐作業方法を提供することを目的とする。
【課題を解決するための手段】
【００１０】
本発明は、スペーサに光ファイバテープ心線が収容され、その上側に粗巻きと押さえ巻きが巻かれ、更にそれらの上側にシースが施された構造を有するテープスロット型光ファイバケーブルにおいて、
前記押さえ巻きには、該押さえ巻きを横断する方向に線状にミシン目が所定の間隔で設けられ、該ミシン目のいずれかの先端線には該押さえ巻きの端面に達する切れ目が形成されて、前記端面から該ミシン目に向けてフリー形状の指摘み部が形成されて、押さえ巻き間に形成された隙間に対向するようにされたこと
を特徴とするテープスロット型光ファイバケーブルを提供する。
【００１１】
本発明は、また、シースに熱可塑性樹脂が使用され、粗巻きに熱可塑性樹脂が使用され、該粗巻きは前記シースの前記光ファイバ心線集合体上への高温加熱成形被覆時に、前記開き巻構造の隙間を介して熱移動によって溶融して切断状態に置かれたことを特徴とするテープスロット型光ファイバケーブルを提供する。
【００１２】
本発明は、また、前記押さえ巻きは横巻きに巻かれ、前記ミシン目および前記指摘み部は横巻き方向と逆方向に、横巻き方向の直角横断方向に、もしくは横巻き方向と同一方向に設けられることを特徴とするテープスロット型光ファイバケーブルを提供する。
【００１３】
本発明は、また、前記押さえ巻きは縦方向に巻かれ、前記ミシン目および前記指摘み部は前記押さえ巻きに直角横断方向または斜め方向に設けられることを特徴とするテープスロット型光ファイバケーブルを提供する。
【００１４】
本発明は、スペーサに光ファイバテープ心線が収容され、その上側に粗巻きと押さえ巻きが巻かれ、更にそれらの上側にシースが施された構造を有するテープスロット型光ファイバケーブルの中間後分岐作業方法において、
前記押さえ巻きを横断する方向に線状にミシン目が所定の間隔で設けられ、該ミシン目のいずれかの先端線には該押さえ巻きの端面に達する切れ目が形成されて、前記端面から該ミシン目に向けてフリー形状の指摘み部が形成された該押さえ巻きについて、
前記シースを引き裂き、前記押さえ巻きを露出させた後に、前記フリー形状の指摘み部を指で摘まんで前記ミシン目方向に引っ張り、前記ミシン目に沿って切断し、テープスロット型光ファイバケーブルから除去するようにしたこと
を特徴とするテープスロット型光ファイバケーブルの中間後分岐作業方法を提供する。
【００１５】
本発明は、また、シースに熱可塑性樹脂を使用し、粗巻きに熱可塑性樹脂を使用し、該粗巻きを前記シースの前記光ファイバ心線集合体上への高温加熱成形被覆時に、前記開き巻構造の隙間を介して熱移動によって溶融して切断状態に置き、前記押さえ巻きを除去後または除去と同時に前記粗巻きを除去することを特徴とするテープスロット型光ファイバケーブルの中間後分岐作業方法を提供する。
【発明の効果】
【００１６】
本発明は、押さえ巻きには、該押さえ巻きを横断する方向に線状にミシン目が所定の間隔で設けられ、該ミシン目のいずれかの先端線には該押さえ巻きの端面に達する切れ目が形成されて、前記端面から該ミシン目に向けてフリー形状の指摘み部が形成されている構造を採用しているために押さえ巻きを刃物を用いることなく切断するために引っ張る時に、指でフリー形状の指摘み部を容易に摘むことができ、中間後分岐作業について一段と作業性をよくして作業時間を短縮することができる。
【発明を実施するための最良の形態】
【００１７】
以下、本発明の１実施例を図面に基づいて説明する。
【実施例】
【００１８】
図１は、本発明の実施例であるテープスロット型光ファイバケーブルであって、中間後分岐作業のためにシースが一部除去された状態を示す図であり、図２はシース部における断面を示す図である。
【００１９】
図１，図２において、テープスロット型光ファイバケーブル１００は、スロット、例えばＳＺ撚り溝スペーサ１にスロット（スロット溝）２形成され、このスロット２内に光ファイバテープ心線３が配設、すなわち収容される。ＳＺと呼ばれてスロット２は、スロット溝が交互に反転しながら軸方向に進行するように形成されているもので、光ファイバケーブルの中間後分岐を行う場合に操作性に優れているという特徴を有している。スロット２内に光ファイバテープ心線３が収容されるとスロット２から光ファイバテープ心線３が外方へ外れることを防止するために一定間隔で粗巻き４が巻きつけられる。この粗巻き４の上側に押さえ巻き５が巻きつけられる。この例の場合、粗巻き４の巻き方向と押さえ巻き５の巻き方向は同一方向にしてあるが逆方向であってもよい。１９はテンションメンバである。
【００２０】
このようにして、ＳＺ撚り溝付きのスペーサ１に光ファイバ心線３が収容され、その上側に粗巻き４と押さえ巻き５が巻かれた光ファイバ心線集合構造体５０が構成される。この光ファイバ心線集合構造体５０を貫通孔（図示せず）に通過させながら、光ファイバ心線集合構造体５０の周囲に熱可塑の溶融した樹脂が被覆され、冷却に伴なってシース６が形成される。すなわち光ファイバ心線集合構造体５０の上側にシースが溶着、冷却されて固定される。光ファイバ心線集合構造体５０の面には引き裂き紐７が配設してあって、シースを引き裂く時にこの引き裂き紐７が使用される。シース６の引き裂きは他の方法による操作によってなされてもよい。
【００２１】
押さえ巻き５には、押さえ巻き間に隙間８を設けた開き巻き構造が形成される。この隙間（ギャップ）は予め定めた距離で等間隔で形成されるが、１例として１〜１０ｍｍとされる。粗巻き４は押さえ巻き５よりも幅を狭くしたピッチ（間隔）１８でスペーサ１上に巻かれる。図１では粗巻き４の隙間が１〜５ｍｍの例が示してある。
【００２２】
押さえ巻き５には、押さえ巻きを横断する方向に線状にミシン目９が線状に、望ましくは直線状に設けられている。このミシン目９の先端線には押さえ巻き５の端面１１に達する切れ目１０が形成される。この切れ目１０の形成によって、端面１１からミシン目９に向けてフリー形状の指摘み部１２が形成される。従って、フリー形状とは、この部分にミシン目がなく、切れ片となっていて無拘束のため容易に摘み易い部分を指すということである。押さえ巻き５は樹脂で製作されて強度を持っており、締まって粗巻き上に巻かれている状態では指で摘みづらく、引き裂きづらいが、このようにフリー形状の指摘み部１２を設け、ミシン目９を設けることによって空間部を設けるなどの手段よりもはるかに指で摘み易く、かつ引き裂き易い。フリー形状の指摘み部１２はミシン目９を指向させ、近接させれば充分機能を発揮するが、ミシン目９に達するようにすることが望ましい。
【００２３】
また、フリー形状の指摘み部１２はミシン目９の片側に設ければ充分であり、設ける側は問わない。フリー形状の指摘み部１２を形成しただけではこの指摘み部１２を摘むのには不充分であり、各巻回間に前述した隙間が設けられていることが重要で、この構成によってフリー形状の指摘み部１２を作業員の指によって容易に摘むことができる。
【００２４】
図１に示す例では、ミシン目９および切れ目１０は横巻きの巻き方向とは逆方向に（紙面で右上側方向から左下側方向上）形成してあるが、同一方向にして横断するようにしてもよく、また端面１１に直角に設けてもよいが、フリー形状の指摘み部１２を鋭角に形成することが指摘み形状として望ましい。
【００２５】
以上のように構成されたテープスロット型光ファイバケーブル１００はシース６が一部引き裂かれ、除去されると図１に示す光ファイバ心線集合構造体５０が出現する。この状態で、作業者はフリー形状の指摘み部１２を指で摘んでミシン目９方向に引っ張ると、押さえ巻き５はミシン目９に沿って引き裂かれ、切断されるに至る。このようにしていくつにも切断された押さえ巻きの破片は容易にテープスロット型光ファイバケーブル１００から除去することができる。
【００２６】
図３に示すように、押さえ巻き５を、押さえ巻きを横断する方向に線状にミシン目を所定の間隔で設け、ミシン目９のいずれかの先端線には押さえ巻きの端面１１に達する切れ目１０を形成し、端面１１からミシン目９に向かってフリー形状の指摘み部１２を形成しておいて（Ｓ１）、中間後分岐作業時には、シース６を引き裂き（Ｓ２）、押さえ巻き５を露出させ（Ｓ３）、露出させた後にフリー形状の指摘み部１２を指で摘んでミシン目９方向に引っ張ってミシン目９に沿って切断することを行う（Ｓ５）。これによって、容易な作業方法で短時間作業で押さえ巻きをテープスロット型光ファイバケーブルから除去する（Ｓ６）。これによって、光ファイバテープ心線３の分岐を容易に行うことができる。押さえ巻き５を除去した後に、もしくは除去と同時に粗巻きを除去する（Ｓ７）。
【００２７】
シース６と粗巻き４とは熱可塑性材料から構成する。一般的なシース被覆方法である加熱して溶融状態にしたシース材を押し出し被覆する場合に、シースの有する熱により、粗巻きは溶融あるいは半溶融状態（以下、溶融といった場合にこの半溶融状態を含むものとする。）となり、特段の工程を設けなくても、シース６と粗巻き４とを接着することができる。
【００２８】
これによって、押さえ巻き５は、押さえ巻き間に隙間が設けられた開き巻き構造が設けられているために、粗巻き４は、シース６の光ファイバ心線集合構造体５０上への高温加熱成形被覆時に溶融されて、粗巻き４は刃物を用いることなく切断された状態となる。
【００２９】
熱可塑性樹脂としては、高密度ポリエチレン、中密度ポリエチレン、低密度ポリエチレン、ポリエステル、ポリアミド、ポリプロピレン、ポリエチレンテレフタレート、ナイロンおよびこれらの各種材料の組み合わせ等がある。シース６および粗巻き４には熱可塑性樹脂が使用され、望ましくは高融点熱可塑性樹脂が選定され、粗巻き４には低融点熱可塑性材料が選定される。例えば、シース６に高密度ポリエチレンを選定し、粗巻きには低密度ポリエチレンを選定するのがよい。
【００３０】
このようにして、シース６に高密度熱可塑性樹脂を使用し、粗巻きに低密度熱可塑性樹脂を使用し、粗巻き４をシース６の光ファイバ心線集合体５０上への高温加熱成形被覆時に、開き巻き構造の隙間８を介して熱移動によって溶融して切断状態に置き、押さえ巻き５を除去後または除去と同時に粗巻き４を除去することを行うテープスロット型光ファイバケーブルの中間後分岐作業方法を構成する。
【００３１】
図１に示す例は、押さえ巻き５を横巻きにした例であるが、本発明は押さえ巻き５を縦巻きにした例にあっても採用することができる。図４は押さえ巻き５を縦巻きにした例を示す。図１と同一の構成には同一の数字が付してあり、図１、図２の説明を援用する。尚、横断面図は図２と同一なので図示していない。
【００３２】
図４に示す例にあっては、テープスロット型光ファイバケーブルの長手方向（縦方向）に隙間８が形成してあり、その間隙は２〜５ｍｍとしてあり、ピッチ幅は２〜１０ｍｍとしてある。そしてこの例では押さえ巻き５を押さえるために更に他の粗巻き２１が押さえ巻き５の上側に巻いてある。
【００３３】
この例にあっても、押さえ巻き５には、押さえ巻きを横断する方向に線状にミシン目が所定の間隙で設けられ、ミシン目のいずれかの先端線には押さえ巻きの端面１１に達する切れ目１０が形成されて、端面１１からミシン目９に向けてフリー形状の指摘み部１２が形成されて、押さえ間に形成された隙間８に対向するようにされた構造が形成されることになる。
【図面の簡単な説明】
【００３４】
【図１】本発明の実施例の構成を示す図。
【図２】図１の断面図。
【図３】フローチャートを示す図。
【図４】本発明の他の実施例の構成を示す図。
【符号の説明】
【００３５】
１…スペーサ（ＳＺ撚り溝付きのスペーサ）、２…スロット、３…光ファイバテープ心線、４…粗巻き、５…押さえ巻き、６…シース、７…引き裂き紐、８…隙間、９…ミシン目、１０…切れ目、１１…端面、１２…フリー形状の指摘み部、２１…他の粗巻き、５０…光ファイバ心線集合構造体、１００…テープスロット型光ファイバケーブル。
【図１】
2009271299.tif 000003
【図２】
2009271299.tif 000004
【図３】
2009271299.tif 000005
【図４】
2009271299.tif 000006